【事件の表示】
　特願２０１４−　９８５８４「内臓脂肪量測定装置」拒絶査定不服審判事件〔平成２７年１２月　３日出願公開、特開２０１５−２１３６３９〕について、次のとおり審決する。
【結　論】
　本件審判の請求は、成り立たない。
【理　由】
第１　手続の経緯
　本願は、平成２６年５月１２日の出願であって、平成２９年３月１６日付けで拒絶理由が通知され、同年５月１９日付けで意見書及び手続補正書が提出され、同年８月３１日付けで拒絶査定されたところ、同年１１月２９日に拒絶査定不服審判の請求がなされ、同時に手続補正がなされたものである。
第２　本件補正についての補正の却下の決定　
［補正の却下の決定の結論］　
　本件補正を却下する。　
　　
［理由］　
１　補正後の請求項１に係る発明（下線は補正箇所を示す。）　
　本件補正により、補正前の特許請求の範囲の請求項１は、
「　【請求項１】
　一対の電流供給用電極を有し、被測定者の胴部の体表面にその胴部を挟んで配置される電流供給用電極対と、
　一対の測定用電極を有し、前記胴部の体表面であって前記各電流供給用電極の間に配置される測定用電極対と、
　前記各測定用電極の間の電位差に基づき前記胴部のインピーダンスを算出するインピーダンス算出部と、
　前記胴部の皮下脂肪に関する皮下脂肪値を測定する光学式の皮下脂肪測定部と、
　前記インピーダンス算出部によって算出されたインピーダンスと前記皮下脂肪測定部によって測定された皮下脂肪値とに基づいて、内臓脂肪量を算出する内臓脂肪量算出部と、
　前記測定用電極対及び前記皮下脂肪測定部が設けられ、前記胴部の体表面に装着される支持部と、を備え、
　前記皮下脂肪測定部の正面を通り前記支持部の正面と平行な仮想面に対して、前記測定用電極対が前記支持部の正面寄りに配置された状態
、及び前記測定用電極対が前記仮想面上に配置された状態
　内臓脂肪量測定装置。」
と補正された。　　　
　本件補正は、補正前の請求項１に係る発明を特定するために必要な事項である「前記皮下脂肪測定部の正面を通り前記支持部の正面と平行な仮想面に対して、前記測定用電極対が前記支持部の正面寄りに配置された状態が少なくとも形成できる」との、「前記測定用電極対が配置された状態」について、「
前記測定用電極対が前記仮想面上に配置された状態
　したがって、本件補正は、特許法第１７条の２第５項第２号の特許請求の範囲の減縮を目的とするものである。
　そこで、本件補正後の前記請求項１に係る発明（以下「補正発明」という。）が、特許出願の際独立して特許を受けることができるものであるか（特許法第１７条の２第６項において準用する同法第１２６条第７項の規定に適合するか）について以下に検討する。
　
２　引用刊行物及びその記載事項
（１）本願の出願前に頒布され、原査定の拒絶の理由に引用された刊行物である特許第４７２３９９０号公報（以下、「引用文献１」という。）には、図面とともに次の事項が記載されている（下線は当審で付与した。）。
（１−ア）「【技術分野】
【０００１】
　本発明は、人体の内臓脂肪量を測定する方法及びその装置に関するものである。」
（１−イ）「【発明が解決しようとする課題】
【００１１】
　本発明は上記の従来の問題点に鑑みて発明したものであって、インピーダンス法により内臓脂肪量を直接測定するに当たって、内臓脂肪量の測定精度を向上できる内臓脂肪量測定方法及び内臓脂肪量測定装置を提供することを課題とするものである。」
（１−ウ）「【発明の効果】
【００２４】
　本発明は、インピーダンス法により内臓脂肪量を直接測定するに当たって、インピーダンス計測値にインピーダンス測定部の皮下脂肪厚の違いによる影響分を補正して精度よく内臓脂肪量を求めることができる。
【発明を実施するための最良の形態】
【００２５】
　以下、本発明を添付図面に示す実施形態に基いて説明する。
【００２６】
　本発明の
内臓脂肪量測定装置
一対以上の電流印加用電極２と、一対以上の電圧計測用電極３と、インピーダンス測定手段４と、皮下脂肪厚測定手段１と、内臓脂肪量算出手段５と、表示装置１５を備えている
【００２７】
　
電流印加用電極２
２つが一対となった
被測定者の胴部Ｗ外周上の胴部Ｗを挟んで略対向する位置に配置する
【００２８】
　
電圧計測用電極３
２つで一対となった
上記対の電流印加用電極２間の略中間位置に相当する胴部Ｗ外周上に配置する
【００２９】
　
インピーダンス測定手段４
上記対となった電圧計測用電極３間のインピーダンス値を測定するための
対となった電圧計測用電極３間の電圧と、電流印加用電極２間に流れる電流とに基づいてインピーダンス算出回路８により電圧計測用電極３間のインピーダンス値を求める
【００３０】
　
皮下脂肪厚測定手段１は被測定者の胴部Ｗの外周上に配置されて被測定者の皮下脂肪厚を測定するための
皮下脂肪厚測定手段１
光学式
、胴部Ｗの表面から胴部Ｗの組織内に光を照射する光照射部９と、胴部Ｗ組織からの反射光を受光する光センサ１０と、光センサ１０での受光情報に基づいて被測定者の胴部Ｗの皮下脂肪厚を測定する皮下脂肪厚測定回路１１とを備えている
【００３１】
　
内臓脂肪量算出手段５
上記インピーダンス測定手段４で求めたインピーダンス値が入力されると共に、皮下脂肪厚測定手段１の皮下脂肪厚測定回路１１で求めた皮下脂肪厚に関するデータが入力され、上記インピーダンス測定手段４により求めたインピーダンスに基づいて内臓脂肪量を算出する演算回路を備えており、内臓脂肪量を演算回路で算出する際に上記前記皮下脂肪厚測定手段１で測定した皮下脂肪厚を用いて内臓脂肪量を補正して、被測定者の内臓脂肪量をより正確に算出する
【００３２】
　
内臓脂肪量算出手段５で算出された被測定者の内臓脂肪量
表示装置１５
表示される
（１−エ）「【００３８】
　また、皮下脂肪厚測定手段１により被測定者の皮下脂肪厚ｔを計測するのであるが、皮下脂肪厚測定手段１が光学式の場合、前述のように
光照射部９と光センサ１０とを被測定者の計測対象部位である胴部Ｗに接触させる
【００３９】
　上記光センサ１０での受光情報に基づき皮下脂肪厚測定手段１で皮下脂肪１２の厚みが算出されるもので、このようにすることで被測定者の計測対象部位である胴部Ｗの皮下脂肪厚ｔを直接測定することができる。」
（１−オ）「【００４６】
　図３、図４には本発明の他の実施形態が示してある。
【００４７】
　本実施形態は基本的構成は上記実施形態と同じであるが、上記実施形態が電圧測定用電極３と、皮下脂肪厚測定手段１の光センサ１０、光照射部９とを別体とした例を示したが、本実施形態においては電圧測定用電極３と、皮下脂肪厚測定手段１の光センサ１０、光照射部９を一体に構成した点が異なる。図４に示す実施形態では
基板１６に一対の電圧測定用電極３と、光センサ１０、光照射部９とを一体に取付けてある。
【００４８】
　また、本実施形態では電圧測定用電極３と皮下脂肪厚測定手段１を一体化したが、
電流印加用電極２も含めてベルト状の装着体に取付け
胴部Ｗに装着する
（１−カ）
  
（１−キ）
  
（１−ク）「電圧計測用電極３」は、「電圧測定用電極３」と同じ部材を示すことは明らかである。
（２）引用発明
　上記（１−ア）〜（１−キ）の記載と（１−ク）から、上記引用文献１には、以下の発明が記載されていると認められる。
「被測定者の胴部Ｗ外周上の胴部Ｗを挟んで略対向する位置に配置する２つが一対となった電流印加用電極２と、
　上記対の電流印加用電極２間の略中間位置に相当する胴部Ｗ外周上に配置する２つで一対となった電圧測定用電極３と、
　上記対となった電圧測定用電極３間のインピーダンス値を測定するためのインピーダンス測定手段４と、
　被測定者の胴部Ｗの外周上に配置されて被測定者の皮下脂肪厚を測定するための光学式皮下脂肪厚測定手段１であって、胴部Ｗの表面から胴部Ｗの組織内に光を照射する光照射部９と、胴部Ｗ組織からの反射光を受光する光センサ１０と、光センサ１０での受光情報に基づいて被測定者の胴部Ｗの皮下脂肪厚を測定する皮下脂肪厚測定回路１１とを備えており、光照射部９と光センサ１０とを被測定者の計測対象部位である胴部Ｗに接触させる光学式皮下脂肪厚測定手段１と、
　上記インピーダンス測定手段４で求めたインピーダンス値が入力されると共に、皮下脂肪厚測定手段１の皮下脂肪厚測定回路１１で求めた皮下脂肪厚に関するデータが入力され、上記インピーダンス測定手段４により求めたインピーダンスに基づいて内臓脂肪量を算出する演算回路を備えており、内臓脂肪量を演算回路で算出する際に上記前記皮下脂肪厚測定手段１で測定した皮下脂肪厚を用いて内臓脂肪量を補正して、被測定者の内臓脂肪量をより正確に算出する内臓脂肪量算出手段５と、
　一対の電圧測定用電極３と、光センサ１０、光照射部９とを一体に取付けてある基板１６と、
　電流印加用電極２も含めて取付けた、胴部Ｗに装着するのみで、電流印加用電極２、電圧測定用電極３、皮下脂肪厚測定手段１を同時に胴部Ｗに装着することができるベルト状の装着体と、
　表示装置１５と、
を備えている内臓脂肪量測定装置。」（以下、「引用発明」という。）
　
（３）本願の出願前に頒布され、原査定の拒絶の理由に引用された刊行物である特開２００５−１２４９１４号公報（以下、「引用文献２」という。）には、図面とともに次の事項が記載されている。
（２−ア）「【技術分野】
【０００１】
　本発明は、測定者の体内インピーダンスを測定するインピーダンス測定装置及び体脂肪率等の健康管理に有益な指針情報を提供する健康管理指針アドバイス装置に関する。」
（２−イ）「【発明が解決しようとする課題】
【０００３】
　しかしながら、これらの従来技術においては、腹部にベルトを装着するため、呼吸をする際に装着部位である腹部の周長が変化し、電極の接触位置が多少移動したり、接触状態が変化したりする可能性がある。
これらの電極の位置の変動及び接触状態の変化は、測定するインピーダンス値を変化させ、測定精度に影響を与える
【０００４】
　本発明は、かかる従来技術の課題を解決するためになされたものであって、その目的とするところは、接触状態を安定させる高精度の測定が可能なインピーダンス測定装置及び健康管理指針アドバイス装置を提供することにある。」
（２−ウ）「【００１６】
　本発明の実施形態に係る健康管理指針アドバイス装置としての
内臓脂肪計１
腹部に装着するベルトに、皮膚に接触する電極を備えた構成を有する
【００１７】
　（電極支持部の構成）
　図１（ａ）は腹部に装着するベルト（帯状部材）に取付けられた電極支持部１１の外観を示す斜視図であり、図１（ｂ）は電極支持部１１の断面斜視図であり、図１（ｃ）は電極支持部１１の断面図である。
【００１８】
　電極支持部１１は、主として、ベルトに取付けられるベース１２と、ベース１２に対して可動する電極部１３とを備える。
【００１９】
　ベース１２は、ベルトに沿って扁平な略直方体形状をなす。ベース１２のカバー１２１上面の中央部はドーム状に隆起するとともに、その中央に電極部１３を取付けるための孔１２２が開設されている。
【００２０】
　ベース１２のベルト側は、底板１２４と板状の取付部材１２５とを重ねた構造になっている。底板１２４と板状の取付部材１２５との間にはベルトを挿通するための間隙１２６が設けられており、ベルトを間に挟んで取付部材１２５を底板１２４に固定している。ベースは、ベルトの所定位置に固定しても良いし、ベルトに沿って適宜移動できるように構成しても良い。
【００２１】
　カバー１２１の底板側は、中空となっており、カバー１２１の端部は底板１２４及び取付部材１２５とネジによって固定されている。
【００２２】
　電極１３０は略Ｔ字形の電極部１３の頭部１３１上面に配置されている。電極１３０はベルトの延長方向に湾曲し、ベルトに直交する方向に長手となる矩形の曲面形状をなす。電極部１３０のベース１２側には、頭部１３１に直交して延びる円筒状の柱部１３２が形成されている。柱部１３２は、ベース１２のカバー１２１に設けられた孔１２２に挿入されるとともに、柱部１３２の外周面と孔１２２の内周縁との間に設けられた間隙を介して支持される。柱部１３２の底板側の端部には外径側に延出するフランジ部１３３が形成されており、このフランジ部１３３は孔１２２の内周縁に係合し、電極部１３が孔１２２から抜け出ないようにストッパーとして機能する。また、柱部１３２は底板側が開口する内部中空の円筒形状をなし、柱部１３２の中空内部にはつるまきバネ（押圧力発生手段）１４の一端が支持されている。つるまきバネ１４の他方の端部は底板１２４に固定されている。また、バネ１４の端面部分の荷重を受ける底板１２４の中央部には感圧素子（押圧力検出手段）１５が配置されており、電極部１３の頭部１３１に配置された電極１３０が押圧される際の押圧力を検出する。また、
バネ１４の弾性力により、電極部１３０は、底板１２４から離間する方向（被測定者の体表面側）に付勢される
呼吸等により人体表面に直交する方向の相対位置変化が生じても、バネ１４が伸縮することにより、電極１３０が人体表面の動きに追従することができ、電極１３０と人体との接触状態の変化を抑制することができる。
（２−エ）
  
３　対比・判断　
（１）対比
　補正発明と引用発明とを対比する。
ア　引用発明の「被測定者の胴部Ｗ外周上の胴部Ｗを挟んで略対向する位置に配置する２つが一対となった電流印加用電極２」、「上記対の電流印加用電極２間の略中間位置に相当する胴部Ｗ外周上に配置する２つで一対となった電圧測定用電極３」、「上記対となった電圧測定用電極３間のインピーダンス値を測定するためのインピーダンス測定手段４」、「被測定者の胴部Ｗの外周上に配置されて被測定者の皮下脂肪厚を測定するための光学式皮下脂肪厚測定手段１」及び「内臓脂肪量測定装置」は、それぞれ、補正発明の「一対の電流供給用電極を有し、被測定者の胴部の体表面にその胴部を挟んで配置される電流供給用電極対」、「一対の測定用電極を有し、前記胴部の体表面であって前記各電流供給用電極の間に配置される測定用電極対」、「前記各測定用電極の間の電位差に基づき前記胴部のインピーダンスを算出するインピーダンス算出部」、「前記胴部の皮下脂肪に関する皮下脂肪値を測定する光学式の皮下脂肪測定部」及び「内臓脂肪量測定装置」に相当する。
イ　引用発明の「内臓脂肪量算出手段５」は、「上記インピーダンス測定手段４で求めたインピーダンス値が入力されると共に、皮下脂肪厚測定手段１の皮下脂肪厚測定回路１１で求めた皮下脂肪厚に関するデータが入力され、」「内臓脂肪量を演算回路で算出する際に上記前記皮下脂肪厚測定手段１で測定した皮下脂肪厚を用いて内臓脂肪量を補正して、被測定者の内臓脂肪量をより正確に算出する」ものであるから、補正発明の「前記インピーダンス算出部によって算出されたインピーダンスと前記皮下脂肪測定部によって測定された皮下脂肪値とに基づいて、内臓脂肪量を算出する内臓脂肪量算出部」に相当する。
ウ　引用発明の「基板１６」は、「一対の電圧測定用電極３と、光センサ１０、光照射部９とを一体に取付けてあ」り、「電流印加用電極２も含めて」「胴部Ｗに装着するのみで、電流印加用電極２、電圧測定用電極３、皮下脂肪厚測定手段１を同時に胴部Ｗに装着することができるベルト状の装着体」に「取付け」てあるから、補正発明の「前記測定用電極対及び前記皮下脂肪測定部が設けられ、前記胴部の体表面に装着される支持部」に相当する。
エ　そうすると、両者は、　　
（一致点）　　
「一対の電流供給用電極を有し、被測定者の胴部の体表面にその胴部を挟んで配置される電流供給用電極対と、
　一対の測定用電極を有し、前記胴部の体表面であって前記各電流供給用電極の間に配置される測定用電極対と、
　前記各測定用電極の間の電位差に基づき前記胴部のインピーダンスを算出するインピーダンス算出部と、
　前記胴部の皮下脂肪に関する皮下脂肪値を測定する光学式の皮下脂肪測定部と、
　前記インピーダンス算出部によって算出されたインピーダンスと前記皮下脂肪測定部によって測定された皮下脂肪値とに基づいて、内臓脂肪量を算出する内臓脂肪量算出部と、
　前記測定用電極対及び前記皮下脂肪測定部が設けられ、前記胴部の体表面に装着される支持部と、を備えた、
　内臓脂肪量測定装置。」
で一致し、以下の点で相違する。
　
（相違点）
　補正発明は、「前記皮下脂肪測定部の正面を通り前記支持部の正面と平行な仮想面に対して、前記測定用電極対が前記支持部の正面寄りに配置された状態、及び前記測定用電極対が前記仮想面上に配置された状態が少なくとも形成できるように、前記各測定用電極及び前記皮下脂肪測定部のうち少なくとも一つが、前記胴部の体表面の形状に合わせて前記胴部の体表面に接近する方向及び前記胴部の体表面から離間する方向に前記支持部に対して移動する」のに対して、引用発明は、そのような構成を有していない点。
（２）判断
ア　相違点についての検討
　引用文献２の段落【００１６】、【００２２】には、「腹部に装着するベルトに、皮膚に接触する電極を備えた構成を有する」「内臓脂肪計１」において「バネ１４の弾性力により、電極部１３０は、底板１２４から離間する方向（被測定者の体表面側）に付勢され」、「呼吸等により人体表面に直交する方向の相対位置変化が生じても、バネ１４が伸縮することにより、電極１３０が人体表面の動きに追従することができ、電極１３０と人体との接触状態の変化を抑制することができる。」構成が記載されている。　
　引用文献２に記載された、呼吸等により人体表面に直交する方向の相対位置変化が生じても電極と人体との接触状態の変化を抑制しようとする課題は、引用発明でも当然に有する課題である。
　してみると、引用発明の「一対の電圧測定用電極３と、光センサ１０、光照射部９とを一体に取付けてある基板１６」において、「一対の電圧測定用電極３」に、引用文献２に記載された、バネの弾性力により電極部を被測定者の体表面側に付勢し、バネが伸縮することにより、電極部が人体表面に直交する方向に移動する構成を採用することは、当業者が容易になし得ることである。
　そして、その移動範囲を設定する際、人体表面の曲面の形状は呼吸などにより種々変形することのほか、「光センサ１０」、「光照射部９」についても、これらを人体表面にある程度の押圧力で密着させる必要があることは当然であること、人体表面の曲面の形状は被測定者により異なること等を考慮すると、「一対の電圧測定用電極３」の移動範囲として、これらの電極の人体側の表面が、「光センサ１０」、「光照射部９」の人体側の表面を中心として、人体側に突出する位置と「基板１６」側に押し込まれた位置との間の範囲とすること、すなわち、補正発明のように、「前記皮下脂肪測定部の正面を通り前記支持部の正面と平行な仮想面に対して、前記測定用電極対が前記支持部の正面寄りに配置された状態、及び前記測定用電極対が前記仮想面上に配置された状態が少なくとも形成できるように、前記各測定用電極及び前記皮下脂肪測定部のうち少なくとも一つが、前記胴部の体表面の形状に合わせて前記胴部の体表面に接近する方向及び前記胴部の体表面から離間する方向に前記支持部に対して移動する」よう設定することが、最も普通に考え得る設定である。
　したがって、引用発明に引用文献２に記載された構成を採用し、上記相違点に係る補正発明の発明特定事項を得ることは、当業者が容易に想到し得ることである。
　
イ　補正発明の効果について
　補正発明の効果は、引用文献２に記載された構成が、呼吸などにより電極部と人体表面との位置変化が生じても、電極部と人体表面との接触状態の変化を抑制するという効果を奏し得ることからみて、格別顕著なものとはいえない。
ウ　小括 
　したがって、補正発明は、引用発明及び引用文献２に記載された技術事項に基いて、当業者が容易に発明をすることができたものであるから、特許法第２９条第２項の規定により特許を受けることができないものである。
４　本件補正についてのむすび　　
　以上のとおりであるから、本件補正は、特許法第１７条の２第６項において準用する同法第１２６条第７項の規定に違反するので、同法第１５９条第１項の規定において読み替えて準用する同法第５３条第１項の規定により、却下すべきものである。　
　
第３　本願発明について　　
１　本願発明　
　本件補正は、上記のとおり却下されたので、本願の請求項１〜９に係る発明は、平成２９年５月１９日付け手続補正により補正された特許請求の範囲の請求項１〜９に記載された事項により特定されたものであって、その請求項１に係る発明は、次のとおりであると認める。　
「【請求項１】
　一対の電流供給用電極を有し、被測定者の胴部の体表面にその胴部を挟んで配置される電流供給用電極対と、
　一対の測定用電極を有し、前記胴部の体表面であって前記各電流供給用電極の間に配置される測定用電極対と、
　前記各測定用電極の間の電位差に基づき前記胴部のインピーダンスを算出するインピーダンス算出部と、
　前記胴部の皮下脂肪に関する皮下脂肪値を測定する光学式の皮下脂肪測定部と、
　前記インピーダンス算出部によって算出されたインピーダンスと前記皮下脂肪測定部によって測定された皮下脂肪値とに基づいて、内臓脂肪量を算出する内臓脂肪量算出部と、
　前記測定用電極対及び前記皮下脂肪測定部が設けられ、前記胴部の体表面に装着される支持部と、を備え、
　前記皮下脂肪測定部の正面を通り前記支持部の正面と平行な仮想面に対して、前記測定用電極対が前記支持部の正面寄りに配置された状態が少なくとも形成できるように、前記各測定用電極及び前記皮下脂肪測定部のうち少なくとも一つが、前記胴部の体表面の形状に合わせて前記胴部の体表面に接近する方向及び前記胴部の体表面から離間する方向に前記支持部に対して移動する
　内臓脂肪量測定装置。」（以下、「本願発明」という。）
　
２　原査定の拒絶の理由
　原査定の拒絶の理由は、この出願の請求項１に係る発明については、本願の出願前に頒布された又は電気通信回線を通じて公衆に利用可能となった下記の引用文献１、２に記載された発明に基いて、その出願前にその発明の属する技術の分野における通常の知識を有する者が容易に発明をすることができたものであるから、特許法第２９条第２項の規定により特許を受けることができない、というものである。
引用文献１：特許第４７２３９９０号公報
引用文献２：特開２００５−１２４９１４号公報
３　引用刊行物及びその記載事項　　
　本願の出願前に頒布された引用文献１、２の記載事項及び引用発明は、上記「第２［理由］　２」に記載したとおりである。　　
　　　
４　当審の判断　　
　補正発明は、本願発明の「前記皮下脂肪測定部の正面を通り前記支持部の正面と平行な仮想面に対して、前記測定用電極対が前記支持部の正面寄りに配置された状態が少なくとも形成できる」との、「前記測定用電極対が配置された状態」について、「
前記測定用電極対が前記仮想面上に配置された状態
　そうすると、本願発明の構成要件を全て含む補正発明が、上記「第２［理由］　３」において検討したとおり、引用発明及び引用文献２に記載された技術事項に基いて、当業者が容易に発明をすることができたものであるから、本願発明も、同様の理由により、引用発明及び引用文献２に記載された技術事項に基いて当業者が容易に発明をすることができたものである。
第４　むすび　　
　以上のとおり、本願発明は、特許法第２９条第２項の規定により特許を受けることができないから、その他の請求項について言及するまでもなく、本願は拒絶されるべきものである。　　
　よって、結論のとおり審決する。